(57)【特許請求の範囲】
【請求項１】
モニタシステムと、前記モニタシステムに接続可能なモバイル装置とを備えたリモート視聴システムであって、
前記モバイル装置は、
ディスプレイと、
当該モバイル装置との間のペアリングが確立されているＡＶ装置に広域通信網を介して接続し、接続したＡＶ装置からビデオコンテンツの配信を受けるリモート視聴手段と、
前記リモート視聴手段が配信を受けたビデオコンテンツを前記ディスプレイに表示するビデオコンテンツ表示手段と、
当該モバイル装置が前記モニタシステムに接続しているときに、前記リモート視聴手段が配信を受けたビデオコンテンツを接続している前記モニタシステムに出力するビデオコンテンツ出力手段とを有し、
前記モニタシステムは、
表示装置と、
当該モニタシステムに接続されたモバイル装置から出力された前記ビデオコンテンツを前記表示装置に表示する表示手段と、
当該モニタシステムに接続されたモバイル装置から、当該モバイル装置とＡＶ装置との間に確立されているペアリングの情報を取得し、保管するペアリング情報管理手段と、
前記ペアリング情報管理手段が保管している各ペアリングの情報の一覧をユーザに提示するペアリング情報提示手段とを有し、
前記ペアリングの情報は、少なくとも、当該ペアリングが確立されているモバイル装置とＡＶ装置との識別名称と、当該ペアリングの有効期限とを含むことを特徴とするリモート視聴システム。
【請求項２】
請求項１記載のリモート視聴システムであって、
前記モバイル装置のビデオコンテンツ出力手段は、当該モバイル装置が前記モニタシステムに接続しているときに、ユーザからの指示に応答して、前記ビデオコンテンツ表示手段が前記ディスプレイに表示しているビデオコンテンツを接続している前記モニタシステムに出力することを特徴とするリモート視聴システム。
【請求項３】
請求項１または２記載のリモート視聴システムであって、
前記モニタシステムは、当該モニタシステムに接続されたモバイル装置から取得したペアリングの情報が表す当該ペアリングの有効期限の到来が所定期間以内に近づいていること表している場合に、当該ペアリングの有効期限に対する注意を促すメッセージをユーザに対して提示する注意メッセージ出力手段を有することを特徴とするリモート視聴システム。
【請求項４】
請求項１または２記載のリモート視聴システムであって、
前記モニタシステムは、
前記表示装置と前記表示手段とを少なくとも備えたモニタ装置を、複数有することを特徴とするリモート視聴システム。
【請求項５】
モバイル装置と接続可能なモニタシステムであって、
前記モバイル装置は、当該モバイル装置との間のペアリングが確立されているＡＶ装置に広域通信網を介して接続し、接続したＡＶ装置からビデオコンテンツの配信を受け表示する機能を有し、
当該モニタシステムは、
表示装置と、
当該モニタシステムに接続されたモバイル装置から出力された前記ビデオコンテンツを前記表示装置に表示する表示手段と、
当該モニタシステムに接続されたモバイル装置から、当該モバイル装置とＡＶ装置との間に確立されているペアリングの情報を取得し、保管するペアリング情報管理手段と、
前記ペアリング情報管理手段が保管している各ペアリングの情報の一覧をユーザに提示するペアリング情報提示手段とを有し、
前記ペアリングの情報は、少なくとも、当該ペアリングが確立されているモバイル装置とＡＶ装置との識別名称と、当該ペアリングの有効期限とを含むことを特徴とするモニタシステム。
【請求項６】
請求項５記載のモニタシステムであって、
当該モニタシステムに接続されたモバイル装置から取得したペアリングの情報が表す当該ペアリングの有効期限の到来が所定期間以内に近づいていること表している場合に、当該ペアリングの有効期限に対する注意を促すメッセージをユーザに対して提示する注意メッセージ出力手段を有することを特徴とするモニタシステム。
【発明の詳細な説明】
【技術分野】
【０００１】
本発明は、宅内に設置されたＡＶ機器に記憶されたコンテンツを、モバイル装置でＷＡＮを介して宅外から視聴可能とする技術に関するものである。
【背景技術】
【０００２】
宅内に設置されたＡＶ機器に記憶されたコンテンツを、モバイル装置でＷＡＮを介して宅外から視聴可能とする技術としては、予めＡＶ機器とモバイル装置とをペアリングすると共に、ＡＶ装置においてペアリングされているモバイル装置にのみ、ＷＡＮを介した宅外からのＡＶ機器に記憶されたコンテンツの視聴を許可する技術が知られている（たとえば、特許文献１）。
【０００３】
また、モバイル装置において、モニタ装置との無線通信接続を確立し、モバイル装置から無線通信接続を確立したモニタ装置に映像を転送し、モニタ装置において転送された映像を表示する技術も知られている（たとえば、特許文献２）。
【先行技術文献】
【特許文献】
【０００４】
【特許文献１】特開２０１４-０２７６２号公報
【特許文献２】特開２００９-９４７９９号公報
【発明の概要】
【発明が解決しようとする課題】
【０００５】
ＡＶ装置において予めペアリングされているモバイル装置にのみ、ＷＡＮを介した宅外からのコンテンツの視聴を許可する場合、ペアリングに有効期限が設けられることが考えられる。
【０００６】
しかしながら、このようにペアリングに有効期限を設けた場合、次のような問題が生じる。
すなわち、ユーザが複数のＡＶ装置と複数のモバイル装置とを所有または管理している場合、複数のＡＶ装置と複数のモバイル装置との間で任意の組み合わせによるペアリングが可能となるために、ペアリングされているＡＶ装置やモバイル装置の組や、各ペアリングの有効期限を管理することが困難となる。
【０００７】
そして、このために、ペアリングの有効期限の更新を忘れ、宅外でモバイル装置からＡＶ装置のコンテンツを視聴しようとしたときには、ペアリングの有効期限が切れてしまっていて当該視聴を行えなくなってしまうことがある。
【０００８】
そこで、本発明は、予めペアリングされているモバイル装置にのみ、宅外からのＡＶ装置のコンテンツの視聴を許可するリモート視聴システムにおいて、ペアリングの管理を容易に行えるように支援することを課題とする。
【課題を解決するための手段】
【０００９】
前記課題達成のために、本発明は、モニタシステムと、前記モニタシステムに接続可能なモバイル装置とを備えたリモート視聴システムにおいて、前記モバイル装置に、ディスプレイと、当該モバイル装置との間のペアリングが確立されているＡＶ装置に広域通信網を介して接続し、接続したＡＶ装置からビデオコンテンツの配信を受けるリモート視聴手段と、
前記リモート視聴手段が配信を受けたビデオコンテンツを前記ディスプレイに表示するビデオコンテンツ表示手段と、当該モバイル装置が前記モニタシステムに接続しているときに、前記リモート視聴手段が配信を受けたビデオコンテンツを接続している前記モニタシステムに出力するビデオコンテンツ出力手段とを設け、前記モニタシステムに、表示装置と、当該モニタシステムに接続されたモバイル装置から出力された前記ビデオコンテンツを前記表示装置に表示する表示手段と、当該モニタシステムに接続されたモバイル装置から、当該モバイル装置とＡＶ装置との間に確立されているペアリングの情報を取得し、保管するペアリング情報管理手段と、前記ペアリング情報管理手段が保管している各ペアリングの情報の一覧をユーザに提示するペアリング情報提示手段とを設けたものである。ただし、前記ペアリングの情報は、少なくとも、当該ペアリングが確立されているモバイル装置とＡＶ装置との識別名称と、当該ペアリングの有効期限とを含むものである。
【００１０】
ここで、このようなリモート視聴システムは、前記モバイル装置のビデオコンテンツ出力手段を、当該モバイル装置が前記モニタシステムに接続しているときに、ユーザからの指示に応答して、前記ビデオコンテンツ表示手段が前記ディスプレイに表示しているビデオコンテンツを接続している前記モニタシステムに出力するものとして構成するようにしてもよい。
【００１１】
また、以上のようなリモート視聴システムにおいて、前記モニタシステムに、当該モニタシステムに接続されたモバイル装置から取得したペアリングの情報が表す当該ペアリングの有効期限の到来が所定期間以内に近づいていること表している場合に、当該ペアリングの有効期限に対する注意を促すメッセージをユーザに対して提示する注意メッセージ出力手段を設けるようにしてもよい。
【００１２】
また、以上のリモート視聴システムにおいて、前記モニタシステムは、前記表示装置と前記表示手段とを少なくとも備えたモニタ装置を、複数有するものであってもよい。
以上のようなリモート視聴システム及びモニタシステムによれば、ユーザは、ペアリング情報提示手段に各ペアリングの情報の一覧を提示させることにより、今までにモニタシステムと接続を行ったことのある全てのモバイル装置について、そのモバイル装置がＡＶ装置との間で確立している各ペアリングの有効期限を含む情報を、随時、まとめて確認することができるようになる。よって、ユーザの複数のモバイル装置の各ＡＶ装置との間のペアリングの管理を容易に行えるようになる。
【発明の効果】
【００１３】
以上のように、本発明によれば、予めペアリングされているモバイル装置にのみ宅外からのＡＶ装置のコンテンツの視聴を許可するリモート視聴システムにおいて、ペアリングの管理を容易に行えるように支援することができる。
【図面の簡単な説明】
【００１４】
【図１】本発明の実施形態に係るリモート視聴システムの構成を示すブロック図である。
【図２】本発明の実施形態に係るリモート視聴システムの配置を示す図である。
【図３】本発明の実施形態に係る制御装置とモニタ装置とモバイル装置の構成を示すブロック図である。
【図４】本発明の実施形態に係るペアリング情報管理テーブルを示す図である。
【図５】本発明の実施形態に係るペアリング情報登録処理を示すフローチャートである。
【図６】本発明の実施形態に係るリモート視聴システムの表示例を示す図である。
【発明を実施するための形態】
【００１５】
以下、本発明の実施形態に係るリモート視聴システムの実施形態について説明する。
図１に、本実施形態に係るリモート視聴システムの構成を示す。
図示するように、リモート視聴システムは、宅内エリアに固定設置された複数のＴＶ１、宅内エリアに設置された宅内無線ＬＡＮ２、宅内無線ＬＡＮ２とＷＡＮ３とを接続するルータ４を備えている。また、本リモート視聴システムは、車内エリアに設置された制御装置５、複数のモニタ装置６、制御装置５とモニタ装置６を接続する車載通信バス７、車内に設定された車内無線ＬＡＮ８を備えている。また、本リモート視聴システムは、ユーザに携帯されて宅内エリアと車内エリアとの間を移動可能な複数のモバイル装置９を含む。
【００１６】
このような構成において、モバイル装置９は宅内エリア内に位置するときには宅内無線ＬＡＮ２を介してＴＶ１に接続することができる。また、モバイル装置９は、車内エリア内に位置するときには、車内無線ＬＡＮ８を介して、モニタ装置６に接続することができる。また、モバイル装置９は、車内エリア内を含む任意の位置において、移動通信を介してＷＡＮ３に接続し、ＷＡＮ３、ルータ４、宅内無線ＬＡＮ２を介して、宅内エリアに設置されたＴＶ１に接続することができる。
【００１７】
なお、ＷＡＮ３はインターネットや移動通信網を含む広域通信網である。
さて、ここで宅内エリアとは、たとえば、ユーザの自宅内のエリアであり、複数のＴＶ１は、たとえば、図２ａに示すように自宅のリビングや個室などにそれぞれ設置されたＴＶ１である。
【００１８】
また、車内エリアは、ユーザの自動車内のエリアであり、複数のモニタ装置６は、たとえば、図２ｂに示すように、運転席/助手席のヘッドレストの後部や、自動車内の座席２列目の上の天井などに、それぞれ設置される。また、制御装置５は、たとえば、図２ｂに示すように、自動車のダッシュボード内に設置される。
【００１９】
ここで、宅内エリアに設置される各ＴＶ１は、ＴＶ放送でビデオコンテンツを受信し出力するＴＶ受信機として機能する他、ＴＶ放送で受信したビデオコンテンツ（番組）を録画する記録装置や、予めペアリングされているリモート端末からのＷＡＮ３を介したアクセスを受け入れ、リモート端末に、受信または録画されているビデオコンテンツを配信するリモート視聴対応受信機としても機能する。
【００２０】
一方、モバイル装置９は、たとえば、スマートフォンやタブレット端末などのユーザが携帯可能な装置であり、予めペアリングされているリモート視聴対応受信機に、移動通信を利用して接続したＷＡＮ３を介してアクセスし、リモート視聴対応受信機からビデオコンテンツの配信を受けて出力するリモート端末としても機能する。
【００２１】
ここで、ＴＶ１とモバイル装置９とのペアリングは、宅内無線ＬＡＮ２を介してモバイル装置９とＴＶ１を接続し、モバイル装置９とＴＶ１の間で所定のペアリング確立手順を実行することにより行う。そして、モバイル装置９とＴＶ１の間で所定のペアリング確立手順を完遂し、モバイル装置９とＴＶ１の間のペアリングが確立されると、モバイル装置９には、モバイル装置９の識別名称、ペアリングしたＴＶ１の識別名称、ＴＶ１が設定したペアリングの有効期限、ペアリングしたＴＶ１にアクセスするための各種情報がペアリング情報として保存される。なお、ＴＶ１とモバイル装置９とのペアリングの有効期限は、ＴＶ１とモバイル装置９とを再ペアリングして、新たな有効期限の設定を受けることにより、実質的に延長することができる。
【００２２】
また、モバイル装置９は、車内無線ＬＡＮ８を介してモニタ装置６に接続し、ＷＡＮ３を介してリモート視聴対応受信機から配信されたビデオコンテンツをモニタ装置６に表示する機能も備えている。
【００２３】
ここで、図３に制御装置５、モニタ装置６、モバイル装置９の内部構成を示す。
図示するように、制御装置５は、入力装置５０１、表示装置５０２、マイクやスピーカなどを備えた音声入出力装置５０３、バスインタフェース５０４、記憶装置５０５、ラジオ受信機やＧＰＳ受信機や自動車の各種状態を検出するセンサなどの各種の周辺装置５０６、オペレーティングシステム５１０、オペレーティングシステム５１０上で稼働するアプリケーションを備えている。
【００２４】
また、制御装置５は、上述したアプリケーションとして、ペアリング情報管理アプリケーション５１１と、モニタ表示制御アプリケーション５１２と、その他のアプリケーションとを備えている。なお、その他のアプリケーションとしては、たとえば、制御装置５をラジオやビデオプレイヤとして機能させるメディアプレイヤアプリケーションや、制御装置５をカーナビゲーションとして機能させるナビゲーションアプリケーションや、記憶装置５０５に記憶されているビデオコンテンツを再生するメディアプレイヤアプリケーションなどを備える。
【００２５】
次に、モニタ装置６は、操作部６０１、表示部６０２、スピーカなどの音声出力装置６０３、無線インタフェース６０４、バスインタフェース６０５、外部ビデオ入力インタフェース６０６、オペレーティングシステム６１０、オペレーティングシステム６１０上で稼働するアプリケーションを備えている。
【００２６】
また、モニタ装置６は、上述したアプリケーションとして、表示制御アプリケーション６１１、ミラーリング表示アプリケーション６１２、ペアリング情報入出力アプリケーション６１３と、その他のアプリケーションとを備えている。
【００２７】
ここで、以上のような制御装置５やモニタ装置６や、ハードウエア的には、ＣＰＵやメモリなどを備えたコンピュータを用いて構成されるものであってよく、この場合、オペレーティングシステム５１０/オペレーティングシステム６１０や、アプリケーションなどは、当該コンピュータが、所定のコンピュータプログラムを実行することにより実現されるものである。
【００２８】
さて、このような制御装置５とモニタ装置６の構成において、制御装置５のバスインタフェース５０４とモニタ装置６のバスインタフェース６０５は車載通信バス７に接続しており、車載通信バス７を介して制御装置５と各モニタ装置６は相互に通信を行うことができ、制御装置５と車載通信バス７と複数のモニタ装置６は、車内の各席のユーザに対して各種表示出力を行うモニタシステムを形成している。
【００２９】
そして、制御装置５のモニタ表示制御アプリケーション５１２は、制御装置５のメディアプレイヤアプリケーションが出力するビデオの車載通信バス７を介したモニタ装置６への送信の制御などを行う。また、制御装置５のモニタ表示制御アプリケーション５１２は、車載通信バス７を介してモニタ装置６の表示制御アプリケーション６１１の動作の制御を行う。
【００３０】
そして、モニタ装置６の表示制御アプリケーション６１１は、制御装置５のモニタ表示制御アプリケーション５１２の制御に従って、モニタ装置６の表示部６０２や音声出力装置６０３へのビデオの出力の有無の制御や、表示部６０２や音声出力装置６０３へ出力するビデオのソースを、制御装置５から受信したビデオと、外部ビデオ入力インタフェース６０６を介してモニタ装置６に外部から入力するビデオの間で切り替える制御などを行う。
【００３１】
結果、制御装置５や外部ビデオ入力インタフェース６０６に接続した外部装置からビデオをモニタ装置６に出力して、モニタ装置６の表示部６０２に表示することができる。
次に、モバイル装置９は、タッチパネルなどの操作部９０１、ディスプレイ９０２、マイクやスピーカなどを備えた音声入出力部９０３、無線インタフェース９０４、移動体通信網にアクセスするための移動通信装置９０５、記憶部９０６、その他の周辺デバイス９０７、モバイルオペレーティングシステム９１０、モバイルオペレーティングシステム９１０上で稼働するアプリケーションであるモバイルアプリケーションを備えている。
【００３２】
また、モバイル装置９は、上述したモバイルアプリケーションとして、移動通信装置９０５や音声入出力部９０３や操作部９０１を用いた移動電話機能を提供する移動電話アプリケーション９１１と、リモート視聴アプリケーション９１２と、ミラーリング出力アプリケーション９１３と、その他のアプリケーションを備えている。
【００３３】
ただし、モバイル装置９は、ハードウエア的には、ＣＰＵやメモリなどを備えたコンピュータを用いて構成されるものあり、モバイルオペレーティングシステム９１０やモバイルアプリケーションなどは、当該コンピュータが、所定のコンピュータプログラムを実行することにより実現されるものである。
【００３４】
さて、このようなモバイル装置９の構成において、モバイル装置９は、宅内エリア内に位置するときには、無線インタフェース９０４を用いて宅内無線ＬＡＮ２に接続することができる。そして、モバイル装置９のリモート視聴アプリケーション９１２は、モバイル装置９が宅内エリア内に位置するときに、ユーザからの指示に従って、ユーザが指定したＴＶ１に宅内無線ＬＡＮ２を介して接続して、ＴＶ１との間で上述したペアリング確立手順を実行してＴＶ１とのペアリングを確立し、上述したペアリング情報を記憶部９０６に格納する処理を行う。
【００３５】
また、モバイル装置９は、移動通信網の通信エリア内に位置するときには、移動通信装置９０５による移動通信を利用してＷＡＮ３に接続することができる。そして、モバイル装置９のリモート視聴アプリケーション９１２は、ユーザからの指示に従って、移動通信を利用して接続したＷＡＮ３を介して、予めペアリングされているＴＶ１のうちからユーザによって指定されたＴＶ１にアクセスし、ＴＶ１からビデオコンテンツの配信を受けてディスプレイ９０２や音声入出力部９０３に出力するリモート視聴処理を行う。
【００３６】
また、このようなモニタ装置６とモバイル装置９の構成において、モニタ装置６は、無線インタフェース６０４を用いて車内無線ＬＡＮ８に接続することができる。また、モバイル装置９は、車内エリア内に位置するときには、無線インタフェース９０４を用いて車内無線ＬＡＮ８に接続することができる。したがって、モバイル装置９が車内エリア内に位置するときには、モニタ装置６とモバイル装置９は車内無線ＬＡＮ８を介して相互に通信を行うことができる。
【００３７】
そして、モバイル装置９のミラーリング出力アプリケーション９１３は、ユーザの指示に従って、車内無線ＬＡＮ８を介して、ユーザから指定されたモニタ装置６のミラーリング表示アプリケーション６１２にアクセスし、ミラーリング表示アプリケーション６１２との間で、ミラーリング表示用の車内無線ＬＡＮ８を用いた接続を確立し、接続が確立したモニタ装置６に、モバイル装置９のディスプレイ９０２に表示しているビデオを転送するミラーリング出力処理を行う。そして、モニタ装置６のミラーリング表示アプリケーション６１２は、ミラーリング表示用の接続が確立すると、モバイル装置９のミラーリング出力アプリケーション９１３からミラーリング表示用の接続を用いて転送されたビデオを表示部６０２や音声出力装置６０３から出力するミラーリング表示処理を行う。
【００３８】
結果、モバイル装置９が車内エリアに位置するときに、モバイル装置９のリモート視聴アプリケーション９１２にリモート視聴処理を行わせると共に、モバイル装置９のミラーリング出力アプリケーション９１３にミラーリング出力処理を行わせることにより、当該モバイル装置９とペアリングされている、宅内エリアのＴＶ１のビデオコンテンツがモニタ装置６から出力されることとなる。よって、本リモート視聴システムにおいては、ユーザはモニタ装置６を用いて宅内エリアのＴＶ１のビデオコンテンツを視聴することができる。
【００３９】
次に、制御装置５の記憶装置５０５に格納されるペアリング情報管理テーブルについて説明する。
図４に、ペアリング情報管理テーブルの内容を示す。
図示するように、ペアリング情報管理テーブルには、リモート端末(モバイル装置９)とリモート視聴対応受信機（ＴＶ１）との間に確立されている各ペアリングに対応して設けられたエントリを有し、各エントリには、対応するペアリングの対象となるリモート端末(モバイル装置９)の識別名称と、対応するペアリングの対象となるリモート視聴対応受信機（ＴＶ１）の識別名称と、対応するペアリングの有効期限とが登録される。
【００４０】
以下、このようなリモート視聴システムにおいてユーザのモバイル装置９とＴＶ１のペアリングの管理を支援する動作について説明する。
まず、モニタ装置６のペアリング情報入出力アプリケーション６１３は、モニタ装置６のミラーリング表示アプリケーション６１２がモバイル装置９のミラーリング出力アプリケーション９１３との間でミラーリング表示用の車内無線ＬＡＮ８を用いた接続を確立したならば、車内無線ＬＡＮ８を介して、モバイル装置９のリモート視聴アプリケーション９１２にペアリング情報転送要求を送信する。
【００４１】
一方、ペアリング情報転送要求を受信したモバイル装置９のリモート視聴アプリケーション９１２は、記憶部９０６に格納されている全てのペアリング情報を、車内無線ＬＡＮ８を介して、モニタ装置６のペアリング情報入出力アプリケーション６１３に転送する。
【００４２】
そして、モバイル装置９のリモート視聴アプリケーション９１２からペアリング情報の転送を受けたモニタ装置６のペアリング情報入出力アプリケーション６１３は、車載通信バス７を介して、制御装置５のペアリング情報管理アプリケーション５１１に、モバイル装置９から転送されたペアリング情報を含めたペアリング情報登録要求を送信する。なお、モバイル装置９の記憶部９０６に格納されるペアリング情報を当該モバイル装置９の識別情報を含まないように構成した場合には、モバイル装置９から転送されたペアリング情報に、モバイル装置９の識別名称が含まれないので、モニタ装置６のペアリング情報入出力アプリケーション６１３において、転送を受けた各ペアリング情報にペアリング情報の転送元のモバイル装置９の識別名称を追加し、当該モバイル装置９の識別名称を追加したペアリング情報を含めたペアリング情報登録要求を制御装置５のペアリング情報管理アプリケーション５１１に送信するようにする。
【００４３】
制御装置５のペアリング情報管理アプリケーション５１１は、モニタ装置６のペアリング情報入出力アプリケーション６１３から受信したペアリング情報登録要求を図５に示すペアリング情報登録処理で処理する。
【００４４】
すなわち、制御装置５のペアリング情報管理アプリケーション５１１は、モニタ装置６のペアリング情報入出力アプリケーション６１３からペアリング情報登録要求を受信したならば（ステップ５２）、ペアリング情報登録要求に含まれるペアリング情報のうちに、有効期限が現在日時に所定日数（たとえば、３日）以内に接近しているペアリング情報が存在するかどうかを調べる（ステップ５４）。なお、現在日時としては、周辺装置５０６として備えたＧＰＳ受信機がＧＰＳ衛星から受信している現在日時を用いることができる。
【００４５】
そして、有効期限が所定日数以内に接近しているペアリング情報が存在しない場合には、そのままステップ５６に進む。
一方、有効期限が所定日数以内に接近しているペアリング情報が存在する場合には、そのペアリング情報の有効期限切れが間近であることを通知する有効期限注意メッセージを作成し、ペアリング情報登録要求の送信元のモニタ装置６のペアリング情報入出力アプリケーション６１３に送信した上で（ステップ６０）、ステップ５６に進む。
【００４６】
ここで、有効期限注意メッセージを受信したモニタ装置６のペアリング情報入出力アプリケーション６１３は、たとえば、図６ａに示すように有効期限注意メッセージを、モニタ装置６の表示部６０２に所定期間（たとえば、５秒）表示する。なお、図６ａに示すように、有効期限注意メッセージは、少なくとも、有効期限切れが間近であるペアリングのペアリング情報が示す、ペアリングの対象となるモバイル装置９ とＴＶ１との識別名称とペアリングの有効期限とをユーザに提示するものとする。ただし、有効期限の残日数(残時間)を、有効期限に代えてまたは有効期限と共に有効期限注意メッセージで提示するようにしてもよい。
【００４７】
さて、図５に戻り、以上のようにしてステップ５６に進んだならば、ペアリング情報登録要求に含まれるペアリング情報の各々について、記憶装置５０５に格納されているペアリング情報管理テーブルに、そのペアリング情報が表すペアリングの対象となるモバイル装置９の識別名称とＴＶ１の識別名称と有効期限と同一の、モバイル装置９の識別名称とＴＶ１の識別名称と有効期限が登録されているエントリが既に存在しているかどうかを調べると共に、エントリが存在していない各ペアリング情報について、ペアリング情報管理テーブルに新たなエントリを作成して、そのペアリング情報が表すペアリングの対象となるモバイル装置９の識別名称とＴＶ１の識別名称と有効期限とを登録する（ステップ５６）。
【００４８】
そして、ステップ５２に戻り、次回のペアリング情報登録要求の受信を待つ。
以上、制御装置５のペアリング情報管理アプリケーション５１１が行うペアリング情報登録処理について説明した。
ここで、以上のモニタ装置６のペアリング情報入出力アプリケーション６１３の動作と、制御装置５のペアリング情報管理アプリケーション５１１の動作によって、任意のモニタ装置６とミラーリング表示用の接続を確立したことのある全てのモバイル装置９について、そのモバイル装置９が確立したペアリングの情報が、制御装置５のペアリング情報管理テーブルに集約されることとなる。
【００４９】
さて、制御装置５のペアリング情報管理アプリケーション５１１は、ペアリング情報管理テーブルのアックエントリに登録されたペアリングの情報をまとめてユーザに提示する機能も有する。
【００５０】
すなわち、制御装置５のペアリング情報管理アプリケーション５１１は、入力装置５０１を介して、ユーザからペアリングの情報一覧表示の指示を受け付けたならば、ペアリング情報管理テーブルの各エントリの内容を読み出し、たとえば、ペアリング情報管理テーブルの各エントリに対応する各ペアリングの情報の内容の一覧を示す図６ｂに示すようなペアリング情報一覧画面を生成し、表示装置５０２に表示する。
【００５１】
ここで、図示するようにペアリング情報一覧画面には、ペアリング情報管理テーブルの各エントリに対応する各ペアリングの情報として、ペアリングの対象となるモバイル装置９の識別名称と、ペアリングの対象となるＴＶ１の識別名称と、ペアリングの有効期限とを表示する。
【００５２】
なお、ペアリング情報一覧画面では、各ペアリングの情報をモバイル装置９毎にまとめて表示したり、各ペアリングの情報をＴＶ装置１毎にまとめて表示したり、各ペアリングの情報を有効期限の接近している順に並べて配置して表示したり、有効期限の残日数が所定値より少ないペアリングの情報を他のペアリングの情報の表示色とは異なる所定の強調色（たとえば、赤色）で表示したりするようにしてもよい。
【００５３】
また、ペアリング情報一覧画面においては、有効期限が現在日時より過去のペアリングの情報は表示しないようにしてもよいし、有効期限が現在日時より過去のペアリングの情報は他のペアリングの情報の表示色とは異なる所定の弱調色（たとえば、低輝度色）で表示したりするようにしてもよい。
【００５４】
以上、本発明の実施形態について説明した。
なお、以上の実施形態は、制御装置５を設けずに、制御装置５の機能をいずれかのモニタ装置６に統合するようにしてもよい。また、この場合において、モニタ装置６としては、制御装置５の機能を統合したモニタ装置６一つのみ設けるようにしてもよい。
【００５５】
以上のように本実施形態によれば、ユーザは、ペアリング情報一覧画面を制御装置５に表示させることにより、今までにモニタ装置６とミラーリング表示用の接続を行ったことのある全てのモバイル装置９について、そのモバイル装置９がＴＶ１との間で確立している各ペアリングの有効期限を含む情報を、随時、まとめて確認することができる。よって、ユーザは、現在、車内エリア内に位置していないモバイル装置９や、現在電源が投入されていないモバイル装置９や、現在故障しているモバイル装置９についても、過去に、そのモバイル装置９とモニタ装置６との間のミラーリング表示用の接続を行ったことがあれば、そのモバイル装置９がＴＶ１との間で確立している各ペアリングの有効期限等の情報を確認することができる。
【符号の説明】
【００５６】
１…ＴＶ、２…宅内無線ＬＡＮ、３…ＷＡＮ、４…ルータ、５…制御装置、６…モニタ装置、７…車載通信バス、８…車内無線ＬＡＮ、９…モバイル装置、５０１…入力装置、５０２…表示装置、５０３…音声入出力装置、５０４…バスインタフェース、５０５…記憶装置、５０６…周辺装置、５１０…オペレーティングシステム、５１１…ペアリング情報管理アプリケーション、５１２…モニタ表示制御アプリケーション、６０１…操作部、６０２…表示部、６０３…音声出力装置、６０４…無線インタフェース、６０５…バスインタフェース、６０６…外部ビデオ入力インタフェース、６１０…オペレーティングシステム、６１１…表示制御アプリケーション、６１２…ミラーリング表示アプリケーション、６１３…ペアリング情報入出力アプリケーション、９０１…操作部、９０２…ディスプレイ、９０３…音声入出力部、９０４…無線インタフェース、９０５…移動通信装置、９０６…記憶部、９０７…周辺デバイス、９１０…モバイルオペレーティングシステム、９１１…移動電話アプリケーション、９１２…リモート視聴アプリケーション、９１３…ミラーリング出力アプリケーション。
【図１】
0006285819.tif 000002
【図２】
0006285819.tif 000003
【図３】
0006285819.tif 000004
【図４】
0006285819.tif 000005
【図５】
0006285819.tif 000006
【図６】
0006285819.tif 000007